(57)【特許請求の範囲】
【請求項１】
印刷データに基づいて、テープ状部材に印刷を行う印刷手段と、
前記印刷手段による印刷後の前記テープ状部材であるラベルの全体を表すラベルイメージの、少なくとも一部分に相当する部分イメージを、プレビュー表示領域に表示するプレビュー表示手段と、
前記ラベルイメージの長手方向および幅方向の少なくとも一方に対する前記部分イメージの位置を、インジケータ表示領域に表示する位置表示手段と、を備え、
前記プレビュー表示手段は、前記ラベルイメージの前記長手方向または前記幅方向における一端側から他端側に向かってプレビュー表示を行う場合、前記プレビュー表示領域に前記部分イメージの一端側が表示されていない状態から、前記プレビュー表示を開始することを特徴とするテープ印刷装置。
【請求項２】
前記インジケータ表示領域は、前記ラベルイメージの前記長手方向および前記幅方向の少なくとも一方に沿って設けられた複数のインジケータから成り、
前記位置表示手段は、前記プレビュー表示の開始時点において、前記複数のインジケータのうち前記一端側の端にある１のインジケータのみを点灯または非点灯させることを特徴とする請求項１に記載のテープ印刷装置。
【請求項３】
前記プレビュー表示手段は、前記ラベルイメージの前記長手方向または前記幅方向における一端側から他端側に向かってプレビュー表示を行う場合、前記プレビュー表示領域に前記部分イメージの他端側が表示されていない状態まで、前記プレビュー表示を行うことを特徴とする請求項２に記載のテープ印刷装置。
【請求項４】
前記位置表示手段は、前記プレビュー表示領域に前記部分イメージの他端側が表示されていない状態となったとき、前記複数のインジケータのうち前記他端側の端にある１のインジケータのみを点灯または非点灯させることを特徴とする請求項３に記載のテープ印刷装置。
【請求項５】
前記プレビュー表示領域および前記インジケータ表示領域は、一の表示画面上に設けられることを特徴とする請求項１ないし４のいずれか１項に記載のテープ印刷装置。
【請求項６】
前記プレビュー表示をスクロールさせるための操作手段をさらに備え、
前記位置表示手段は、前記操作手段によるスクロール操作に同期して、前記部分イメージの位置を表示することを特徴とする請求項１ないし５のいずれか１項に記載のテープ印刷装置。
【請求項７】
前記ラベルイメージの前記長手方向および幅方向の少なくとも一方に対する前記部分イメージの長さの割合を表示する長さ割合表示手段をさらに備えたことを特徴とする請求項１ないし６のいずれか１項に記載のテープ印刷装置。
【請求項８】
コンピュータを、請求項１ないし７のいずれか１項に記載のテープ印刷装置における各手段として機能させるためのプログラム。
【発明の詳細な説明】
【技術分野】
【０００１】
プレビュー表示機能を備えたテープ印刷装置およびプログラムに関するものである。
【背景技術】
【０００２】
従来、印刷データに基づいて、作成されるラベルのイメージを表示画面上に表示するプレビュー表示機能を備えたテープ印刷装置が知られている（例えば、特許文献１）。この種のテープ印刷装置に搭載される表示画面は、一般的に小型であるため、ラベルの全体イメージを表示することができない。このため、プレビュー表示させるラベルの一部分を上下左右にスクロールさせることにより、ラベル全体のイメージを確認できるようになっている。
【先行技術文献】
【特許文献】
【０００３】
【特許文献１】特開２００３−２８５４８６号公報
【発明の概要】
【発明が解決しようとする課題】
【０００４】
ところが、従来のテープ印刷装置は、スクロールの途中で表示画面を見た場合、プレビュー表示されている部分が、ラベルのどの辺りに位置するのかが分かりづらいといった問題があった。また、ラベル上に文字や画像が印刷されない非印刷領域が多く存在する場合は、その非印刷領域がプレビュー表示されていると、何も表示されていない、またはスクロールが止まっている（テープ印刷装置が動作していない）とユーザが誤認してしまうことがあり、不便であった。
【０００５】
本発明は、上記の問題点に鑑み、プレビュー表示されている位置をユーザが確認できるテープ印刷装置およびプログラムを提供することを課題とする。
【課題を解決するための手段】
【０００６】
本発明のテープ印刷装置は、印刷データに基づいて、テープ状部材に印刷を行う印刷手段と、印刷手段による印刷後のテープ状部材であるラベルの全体を表すラベルイメージの、少なくとも一部分に相当する部分イメージを、プレビュー表示領域に表示するプレビュー表示手段と、ラベルイメージの長手方向および幅方向の少なくとも一方に対する部分イメージの位置を、インジケータ表示領域に表示する位置表示手段と、を備え、プレビュー表示手段は、ラベルイメージの長手方向または幅方向における一端側から他端側に向かってプレビュー表示を行う場合、プレビュー表示領域に部分イメージの一端側が表示されていない状態から、プレビュー表示を開始することを特徴とする。
上記に記載のテープ印刷装置において、インジケータ表示領域は、ラベルイメージの長手方向および幅方向の少なくとも一方に沿って設けられた複数のインジケータから成り、位置表示手段は、プレビュー表示の開始時点において、複数のインジケータのうち一端側の端にある１のインジケータのみを点灯または非点灯させることが好ましい。
上記に記載のテープ印刷装置において、プレビュー表示手段は、ラベルイメージの長手方向または幅方向における一端側から他端側に向かってプレビュー表示を行う場合、プレビュー表示領域に部分イメージの他端側が表示されていない状態まで、プレビュー表示を行うことが好ましい。
上記に記載のテープ印刷装置において、位置表示手段は、プレビュー表示領域に部分イメージの他端側が表示されていない状態となったとき、複数のインジケータのうち他端側の端にある１のインジケータのみを点灯または非点灯させることが好ましい。
上記に記載のテープ印刷装置において、プレビュー表示領域およびインジケータ表示領域は、一の表示画面上に設けられることが好ましい。
上記に記載のテープ印刷装置において、プレビュー表示をスクロールさせるための操作手段をさらに備え、位置表示手段は、操作手段によるスクロール操作に同期して、部分イメージの位置を表示することが好ましい。
上記に記載のテープ印刷装置において、ラベルイメージの長手方向および幅方向の少なくとも一方に対する部分イメージの長さの割合を表示する長さ割合表示手段をさらに備えたことが好ましい。
本発明のプログラムは、コンピュータを、請求項１ないし７のいずれか１項に記載のテープ印刷装置における各手段として機能させることを特徴とする。
なお、以下の構成としても良い。
本発明のテープ印刷装置は、印刷データに基づいて、テープ状部材に印刷を行う印刷手段と、印刷手段による印刷後のテープ状部材であるラベルの全体を表すラベルイメージの、少なくとも一部分に相当する部分イメージをプレビュー表示するプレビュー表示手段と、ラベルイメージの長手方向および幅方向の少なくとも一方に対する部分イメージの位置を表示する位置表示手段と、を備えたことを特徴とする。
【０００７】
この構成によれば、プレビュー表示されている部分イメージの、ラベルイメージの長手方向および幅方向の少なくとも一方に対する位置を表示するため、プレビュー表示されている部分がラベル全体に対してどの辺りに位置するのかをユーザが確認することができる。これにより、スクロールの途中でプレビュー表示を見た場合でも、プレビュー表示されている部分が、ラベルのどの辺りに位置するのかを判断することができる。また、ラベル上に多くの非印刷領域が存在し、その非印刷領域がプレビュー表示されている場合でも、位置表示手段を確認することにより、スクロールが止まっている（テープ印刷装置が動作していない）などとユーザが誤認することがない。
なお、ラベルイメージの「長手方向」とは、テープが繰り出されるテープ長方向を指すものであり、「幅方向」とは、テープ長方向と直交する方向を指すものである。
【０００８】
上記に記載のテープ印刷装置において、プレビュー表示をスクロールさせるための操作手段をさらに備え、位置表示手段は、操作手段によるスクロール操作に同期して、部分イメージの位置を表示することが好ましい。
【０００９】
この構成によれば、ユーザの操作に合わせてラベルイメージをスクロール表示させることができるため、ラベルイメージの一部分を停止させて確認したい場合などに便利である。
【００１０】
上記に記載のテープ印刷装置において、位置表示手段は、ラベルイメージの長手方向および幅方向の少なくとも一方に沿って設けられたインジケータ表示領域を用いて、部分イメージの位置を表示することが好ましい。
【００１１】
この構成によれば、ラベルイメージの長手方向および幅方向の少なくとも一方に沿って設けられたインジケータ表示領域を用いることにより、より分かり易く且つ簡易な構成で、ラベルイメージに対する部分イメージの位置を示すことができる。
【００１２】
上記に記載のテープ印刷装置において、ラベルイメージの長手方向および幅方向の少なくとも一方に対する部分イメージの長さの割合を表示する長さ割合表示手段をさらに備えたことが好ましい。
【００１３】
この構成によれば、ユーザは、部分イメージのラベルイメージに対する位置だけでなく、部分イメージのラベルイメージに対する長さの割合も確認することができる。これにより、ラベルイメージ全体を確認することなく、部分イメージと長さ割合表示手段とを見るだけで、ラベルイメージの長さを推定することができる。
【００１４】
上記に記載のテープ印刷装置において、インジケータ表示領域は、点灯または非点灯によって所定の情報を表示する複数のインジケータから成り、長さ割合表示手段は、複数のインジケータのうち、点灯または非点灯するインジケータの数によって、部分イメージの長さの割合を表示することが好ましい。
【００１５】
この構成によれば、インジケータの点灯または非点灯といった容易な制御で、ラベルイメージに対する部分イメージの長さの割合を示すことができる。また、点灯または非点灯によって所定の情報を表示する複数のインジケータを兼用することで、特別な構成を追加することなく、部分イメージのラベルイメージに対する位置および長さの割合を表示することができる。
【００１６】
上記に記載のテープ印刷装置において、プレビュー表示を行うためのプレビュー表示領域、およびインジケータ表示領域は、一の表示画面上に設けられることが好ましい。
【００１７】
この構成によれば、一の表示画面を両手段として機能させることができるため、テープ印刷装置の小型化および低廉化を図ることができる。
【００１８】
上記に記載のテープ印刷装置において、プレビュー表示手段が、ラベルイメージの長手方向または幅方向における一端から他端に向かってプレビュー表示を行う場合、プレビュー表示を行う方向における、ラベルイメージの長さをＸ（但し、Ｘ＞０）、プレビュー表示領域の長さをＹ（但し、Ｘ＞Ｙ＞０）、ラベルイメージの長さＸのうち既にプレビュー表示を終えた部分の長さをＮ（但し、Ｎ＞０）とした場合、位置表示手段は、インジケータ表示領域において点灯または非点灯させるインジケータの位置を、計算式「Ｎ×Ｙ／Ｘ」に基づいて決定することが好ましい。
【００１９】
この構成によれば、複雑な演算処理を必要とすることなく、簡易な計算式「Ｎ×Ｙ／Ｘ」に基づいて、ラベルイメージに対する部分イメージの位置を示すことができる。
なお、ラベルイメージの長手方向における一端から他端に向かってプレビュー表示を行う場合、Ｘ、ＹおよびＮは、ラベルイメージの長手方向における長さを指す。一方、ラベルイメージの幅方向における一端から他端に向かってプレビュー表示を行う場合、Ｘ、ＹおよびＮは、ラベルイメージの幅方向における長さを指す。
【００２０】
上記に記載のテープ印刷装置において、複数のインジケータの個数をＺ（但し、Ｚ＞０）とした場合、長さ割合表示手段は、インジケータ表示領域において点灯または非点灯させるインジケータの個数を、計算式「Ｙ×Ｚ／Ｘ」に基づいて決定することが好ましい。
【００２１】
この構成によれば、複雑な演算処理を必要とすることなく、簡易な計算式「Ｙ×Ｚ／Ｘ」に基づいて、ラベルイメージに対する部分イメージの長さの割合を示すことができる。
なお、ラベルイメージの長手方向における一端から他端に向かってプレビュー表示を行う場合、Ｚは、ラベルイメージの長手方向に沿って設けられたインジケータ表示領域におけるインジケータの個数を指す。一方、ラベルイメージの幅方向における一端から他端に向かってプレビュー表示を行う場合、Ｚは、ラベルイメージの幅方向に沿って設けられたインジケータ表示領域におけるインジケータの個数を指す。
【００２２】
本発明のプログラムは、コンピュータを、上記に記載のテープ印刷装置における各手段として機能させるためのものであることを特徴とする。
【００２３】
このプログラムを用いることにより、プレビュー表示されている位置をユーザが確認できるテープ印刷装置を実現することができる。
【図面の簡単な説明】
【００２４】
【図１】開蓋状態のテープ印刷装置の外観斜視図である。
【図２】テープ印刷装置の制御ブロック図である。
【図３】通常表示画面の表示例を示す図である。
【図４】ラベルの一例を示す図である。
【図５】プレビュー表示画面の画面遷移図である。
【図６】図５に続く、プレビュー表示画面の画面遷移図である。
【図７】インジケータ表示領域におけるインジケータの表示位置および個数について説明するための図である。
【図８】インジケータ表示領域の他の例を示す図である。
【発明を実施するための形態】
【００２５】
以下、本発明の一実施形態に係るテープ印刷装置およびプログラムについて、添付図面を参照しながら詳細に説明する。本発明は、テープ印刷装置によって作成されるラベルのプレビュー表示を行う際に、プレビュー表示されている部分が、ラベルの長手方向および幅方向の少なくとも一方において、ラベル全体のどの辺りに位置するかを表示することを特徴とするものである。そこで、以下の説明においては、ラベルの長手方向における位置を示す場合について主に言及する。
【００２６】
図１は、本実施形態に係るテープ印刷装置１の開閉蓋２１を開いた状態の外観斜視図である。同図に示すようにテープ印刷装置１は、装置ケース２により外郭が形成され、装置ケース２の前部上面には各種入力キーを備えたキーボード３が配置されると共に、後部上面には、その左部に開閉蓋２１が取り付けられ、その右部には表示画面４１が配設されている。開閉蓋２１の内側にはテープカートリッジＣを装着するためのカートリッジ装着部６が窪入形成されており、テープカートリッジＣは、開閉蓋２１を開放した状態でカートリッジ装着部６に着脱可能に装着される。また、開閉蓋２１にはこれを閉じた状態でテープカートリッジＣの装着／非装着を視認するための覗き窓２１ａが形成されている。
【００２７】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサ等と同様である。また、機能キー群３ｂには、通常表示画面５６（図３参照）とプレビュー表示画面５７（図５参照）とを切り替えるための［表示切替］キー３１、印刷を指示するための［印刷］キー３２、カーソル移動やスクロール操作を行うためのカーソルキー（［↓］，［↑］，［←］，［→］）３３などが含まれる。
【００２８】
表示画面４１は、液晶ディスプレイであり、ユーザがキーボード３からデータを入力して、文書や画像などの印刷データを作成・編集したり、その結果等を確認したりする際に用いられる。また、表示画面４１は、上記の［表示切替］キー３１の操作に基づいて、キーボード３による入力内容（テキスト編集内容）および印刷レイアウトを表示する通常表示画面５６（図３参照）と、印刷結果（テープ印刷装置１の成果物であるラベルＬ（図４参照）のラベルイメージＬＩ）をプレビュー表示するプレビュー表示画面５７（図５参照）と、のいずれかを表示する。
【００２９】
装置ケース２の左側部には、カートリッジ装着部６と外部とを連通するテープ排出口２２が形成され、このテープ排出口２２には、送り出した印刷テープＴ（テープ状部材）を切断するためのテープカッタ２３が臨んでいる。そして、テープ排出口２２から印刷済みの印刷テープＴが所定長さだけ送り出され、送りを一旦停止させた状態で、この印刷済みの印刷テープＴをテープカッタ２３により切断することにより、ラベルＬを作成する。なお、切断処理については、自動カットと手動カットとを切り替え可能であり、定長印刷などの場合には自動（オート）で、任意長印刷などの場合にはキーボード３に含まれるカットキーの操作により手動（マニュアル）で、カッタモータ２５（図２参照）を駆動する。
【００３０】
一方、カートリッジ装着部６には、ヘッドカバー６１ａ内にサーマルヘッドから成る印刷ヘッド７が内蔵されたヘッドユニット６１と、印刷ヘッド７に対峙するプラテン駆動軸６２と、後述のインクリボンＲを巻き取る巻き取り駆動軸６３と、後述のテープリール１７の位置決め突起６４とを備えている。また、カートリッジ装着部６の下側には、プラテン駆動軸６２および巻き取り駆動軸６３を回転させるテープ送りモータ２６（図２参照）が内蔵されている。
【００３１】
テープカートリッジＣは、カートリッジケース５１内部の上部中央部に、一定の幅（４．５ｍｍ〜４８ｍｍ程度）の印刷テープＴを巻回したテープリール１７と、右下部にインクリボンＲを巻回したリボンリール１９とを収容して構成されており、印刷テープＴとインクリボンＲは同じ幅で構成されている。また、テープリール１７の左下部には前記ヘッドユニット６１を覆うヘッドカバー６１ａに差し込むための貫通孔５５が形成されており、印刷テープＴとインクリボンＲとが重なる部分に対応して、前記プラテン駆動軸６２に嵌合されて回転駆動するプラテンローラ５３が配置されている。一方、前記リボンリール１９に近接してリボン巻き取りリール５４が配置され、リボンリール１９から繰り出されたインクリボンＲは、ヘッドカバー６１ａを周回するように配置されたリボン巻き取りリール５４に巻き取られるようになっている。
【００３２】
テープカートリッジＣがカートリッジ装着部６に装着されると、ヘッドカバー６１ａに貫通孔５５が、位置決め突起６４にテープリール１７の中心孔が、巻き取り駆動軸６３にリボン巻き取りリール５４の中心孔がそれぞれ差し込まれ、印刷テープＴおよびインクリボンＲを挟み込んで印刷ヘッド７がプラテンローラ５３に当接して印刷が可能になる。その後、表示画面４１の入力・編集結果を確認しながらキーボード３により所望の文字など（文字、数字、記号、簡易図形等のキャラクタ）を入力し、印刷が指示されると、テープ送りモータ２６によりテープカートリッジＣから印刷テープＴを繰り出して、印刷ヘッド７により印刷テープＴに所望の印刷を行い、印刷済み部分はテープ排出口２２から随時外部に送り出される。所望の印刷が完了すると、テープ送りモータ２６は、余白分を含むテープ長さの位置まで印刷テープＴの送りを行った後、その送りを停止する（その後、切断処理に移行する）。
【００３３】
一方、印刷テープＴは、裏面に粘着剤層が形成された記録テープＴａと、この粘着剤層により記録テープＴａに貼付けられた剥離テープＴｂとから構成されている。そして、印刷テープＴは、記録テープＴａを外側にし、かつ剥離テープＴｂを内側にしてロール状に巻回されてカートリッジケース５１内に収容されている。また、印刷テープＴは、テープ種別（テープ幅、テープ色、インク色など）が異なる複数種のものが用意されており、カートリッジケース５１の裏面にはこの種別を特定する複数の孔（図示省略）が設けられている。また、複数の孔に対応してカートリッジ装着部６には、これらを検出するテープ識別センサ（マイクロスイッチ）２７（図２参照）が、複数設けられており、このテープ識別センサ２７により複数の孔の状態を検出することで、テープ種別を判別できるようになっている。
【００３４】
次に、テープ印刷装置１の制御構成について、図２の制御ブロック図を参照して説明する。テープ印刷装置１は、中央処理装置であるＣＰＵ（Central Processing Unit）１１０の他、ＲＯＭ（Read Only Memory）１３０、表示画面４１、キーボード３、カッタモータ２５、テープ送りモータ２６、印刷ヘッド７およびテープ識別センサ２７を備え、これらはバス１４０を介してＣＰＵ１１０と接続されている。また、ＣＰＵ１１０は、ＲＡＭ（Random Access Memory）１２０と直接接続されており、当該ＲＡＭ１２０を、各種制御を行う際のワークエリアとして用いる。
【００３５】
ＲＯＭ１３０は、ＣＰＵ１１０が各種制御を行うための制御プログラムおよび制御データを記憶している。制御プログラムとしては、具体的に、プレビュー表示画面５７上に、プレビュー表示を行うためのプレビュー表示プログラム、ラベル全体のイメージであるラベルイメージＬＩに対する部分イメージＬＩｐ（ラベルイメージＬＩのうち、プレビュー表示画面５７に表示されている少なくとも一部の領域を指す）の位置を示すための位置表示プログラム、並びにラベルイメージＬＩに対する部分イメージＬＩｐの長さの割合を示すための長さ割合表示プログラムを含む。
【００３６】
表示画面４１は、テキスト領域４２、上部インジケータ領域４３ａおよび下部インジケータ領域４３ｂを有している。各領域は、図３に示すように、表示画面４１を横方向（ラベルイメージＬＩの長手方向）に区切った３つの領域に相当し、上から上部インジケータ領域４３ａ、テキスト領域４２、下部インジケータ領域４３ｂの順に設けられている。通常表示画面５６において、上部インジケータ領域４３ａおよび下部インジケータ領域４３ｂは、表示画面４１の上下に標記された各項目に対応する所定の情報を示す領域である。また、通常表示画面５６において、テキスト領域４２は、印刷レイアウトおよび入力内容を表示する領域である。なお、図３では、上記の３つの領域を点線で区切っているが、実際の表示画面４１上には、この点線は表示されない。また、３つの領域は、物理的には一の液晶ディスプレイで構成される。
【００３７】
一方、図５および図６に示すように、プレビュー表示画面５７においては、上部インジケータ領域４３ａおよびテキスト領域４２が、プレビュー表示を行うプレビュー表示領域４５（プレビュー表示手段）である。また、プレビュー表示画面５７においては、下部インジケータ領域４３ｂが、ラベルイメージＬＩに対する部分イメージＬＩｐの位置と、長さの割合を示すインジケータ表示領域４６（位置表示手段，長さ割合表示手段）である。
【００３８】
キーボード３は、各種情報を入力するための入力手段および各種操作を行うための操作手段として機能する。また、カッタモータ２５は、テープカッタ２３と接続され、切断手段として機能する。また、テープ送りモータ２６および印刷ヘッド７は、印刷テープＴ上に印刷を行うための印刷手段として機能する。また、上記のとおり、印刷ヘッド７およびテープ識別センサ２７は、カートリッジ装着部６に設けられ、テープ識別センサ２７は、テープカートリッジＣに収容された印刷テープＴの種別を検出する。ＣＰＵ１１０は、このテープ識別センサ２７の検出結果に基づいて、プレビュー表示を行う場合のラベルイメージＬＩの幅の決定や、印刷データとして入力可能な行数制限等の制御を行う。その他、ＣＰＵ１１０は、バス接続された各構成要素を、統括的に制御する。
【００３９】
次に、図３を参照し、通常表示画面５６の表示内容について説明する。通常表示画面５６では、テキスト領域４２の左側上部において、テープ長さ（単位：ｃｍ）とテープ幅（単位：ｍｍ）とを数値表示する（参照番号７１）。テープ長さとは、入力された情報に基づいて算出されるラベルＬの長手方向における長さを指す。また、テープ幅とは、テープ識別センサ２７の検出結果に基づくラベルＬの幅方向における長さを指す。
【００４０】
また、テキスト領域４２の下部には、入力されたテキスト内容７２を表示する。テキスト内容７２には、何行目の入力であるかを示す行頭マーク７４、入力されたテキスト７５、および入力位置（編集位置）を示すカーソルＫが含まれる。さらに、テキスト領域４２の上部には、入力されたテキスト内容に基づいて、印刷レイアウト７３を反転表示する。
【００４１】
一方、上部インジケータ領域４３ａおよび下部インジケータ領域４３ｂには、３本の線から成る指標マーク９が複数箇所（図３の例の場合、９ａ〜９ｆの６箇所）表示される。この指標マーク９は、表示画面４１の上下に設けられた項目表示部４０の各項目に対応している。つまり、通常表示画面５６では、各線を１個のインジケータとした場合、３個のインジケータによって各項目に対応する情報を指標する。ここで、指標マーク９を用いて指標できる各項目について簡単に説明する。
【００４２】
参照番号４０ａに示す３つの項目では、自動カットを行うか否か、らくらく設定されているか否か、均等割付を行うか否かを示す。ここで、「らくらく設定」とは、複数行の情報を入力した場合、各行の長さが揃うように各行の文字サイズを自動設定するものである。また、参照番号４０ｂに示す３つの項目では、たて書設定、よこ書設定および縦型横設定のうち、いずれに設定されているかを示す。ここで、「たて書設定」とは、ラベルＬの長手方向を行方向とし、且つ文字の並びを縦とする設定を指し、「よこ書設定」とは、ラベルＬの長手方向を行方向とし、且つ文字の並びを横とする設定を指す。また、「縦型横設定」とは、ラベルＬの幅方向を行方向とし、且つ文字の並びを横とする設定を指す。
【００４３】
また、参照番号４０ｃに示す２つの項目では、カーソル位置の文字が縮小文字に設定されているか、伸張文字に設定されているかを示す。ここでは、基本サイズに対する文字の伸縮を示す。また、参照番号４０ｄに示す１３の項目では、カーソル位置の文字の文字サイズを示す。これらの項目では、文字サイズを示すアルファベットとポイント数とで文字サイズを標記している。また、参照番号４０ｅに示す４つの項目では、ローマ字入力に設定されているか、かな入力に設定されているか、ＡＢＣ入力（アルファベット入力）に設定されているか、小文字入力に設定されているかを示す。
【００４４】
また、参照番号４０ｆに示す項目では、定長印刷が設定されているか、地紋印刷が設定されているか、外枠印刷または表印刷が設定されているか、下線、囲み文字または網掛が設定されているかを示す。ここで、「定長印刷」とは、予め設定した長さとなるようにラベル長を設定する機能を指す。また、「地紋印刷」とは、文字の背景に絵柄を印刷する機能を指す。また、参照番号４０ｇに示す項目では、カーソル位置の文字が白抜き文字であるか、淡い色の文字であるか、影付き文字であるか、白抜き且つ影付の文字であるか、斜体文字であるか、強調文字であるか、斜体且つ強調文字であるかを示す。さらに、参照番号４０ｈに示す項目では、カーソル位置の文字の書体（明朝体、ゴシック体等のフォント名）を示す。
【００４５】
このように、項目表示部４０の標記に対応する位置に指標マーク９が表示されている場合、その項目が設定されている、またはカーソル指定されている文字がその項目に該当する、ことを意味する。したがって、図３に示した例の場合、６つの指標マーク９により、自動カット設定（指標マーク９ａ）、らくらく設定（指標マーク９ｂ）、よこ書設定（指標マーク９ｃ）、文字サイズが３８ポイント（指標マーク９ｄ）、ローマ字入力（指標マーク９ｅ）、書体が明朝体（指標マーク９ｆ）であることを示している。
【００４６】
次に、図５および図６を参照し、図４に示すラベルＬを作成する場合のプレビュー表示について説明する。図４に示すように、ラベルＬは、その長手方向における先端から第１印刷領域、非印刷領域および第２印刷領域に区画されているものとする。第１印刷領域は、「たて書設定」にて１行分の文字列が印刷されている領域を指す。また、非印刷領域は、何ら印刷されていない空白領域を指す。また、第２印刷領域は、「よこ書設定」にて２行分の文字列が印刷されている領域を指す。
【００４７】
通常表示画面５６において、図４に示すラベルＬを作成するための文字情報が入力された後、［表示切替］キー３１が押されると、図５に示すプレビュー表示画面Ｄ１を表示する。一方、文字情報が入力された後、［印刷］キー３２が押されると、印刷処理および切断処理を行うことにより、ラベルＬを作成する。
【００４８】
上記のとおり、プレビュー表示画面５７では、表示画面４１の上部インジケータ領域４３ａおよびテキスト領域４２がプレビュー表示領域４５であり、下部インジケータ領域４３ｂがインジケータ表示領域４６である。プレビュー表示画面Ｄ１は、画面切り替え直後の状態であるため、プレビュー表示領域４５には何ら表示を行わず、インジケータ表示領域４６には、プレビュー表示開始前であることを示す指標マーク９を表示する。この場合の指標マーク９は、インジケータ表示領域４６に表示される複数の（Ｚ個の）インジケータのうち、最左端のインジケータのみ点灯させたものである。
【００４９】
プレビュー表示画面Ｄ１が表示されている状態で、左カーソルキー３３Ｌが複数回押されると、プレビュー表示画面Ｄ２の状態となる。プレビュー表示画面Ｄ２のプレビュー表示領域４５では、左カーソルキー３３Ｌの操作に同期して、ラベルイメージＬＩの先端部分がプレビュー表示画面Ｄ２の右側から左側に向かって徐々に出現する（プレビュー表示方向の矢印参照）。プレビュー表示画面Ｄ２では、プレビュー表示領域４５の略中央位置まで、ラベルイメージＬＩの先端（部分イメージＬＩｐ）が出現してきた状態を示している。
【００５０】
一方、プレビュー表示画面Ｄ２のインジケータ表示領域４６では、左カーソルキー３３Ｌの操作に同期して、指標マーク９を構成するインジケータの本数が徐々に増える。つまり、指標マーク９が右側（プレビュー表示方向と反対方向）に移動しているような表示となる（インジケータ表示方向の矢印参照）。また、プレビュー表示画面Ｄ２では、４本のインジケータが点灯しており、この本数はプレビュー表示領域４５に表示されている部分イメージＬＩｐの長さに対応する。つまり、プレビュー表示領域４５全体に部分イメージＬＩｐが表示されている場合に表示される指標マーク９が８個のインジケータにより構成されるものとすると、プレビュー表示画面Ｄ２では、その半分の４個のインジケータが点灯する。なお、表示するインジケータの個数や位置については、後に詳述する。
【００５１】
プレビュー表示画面Ｄ２が表示されている状態で、さらに左カーソルキー３３Ｌが複数回押されると、プレビュー表示画面Ｄ３の状態となる。一方、プレビュー表示画面Ｄ２が表示されている状態で、右カーソルキー３３Ｒが複数回押されると、プレビュー表示画面Ｄ１の状態に戻る。すなわち、カーソルキー３３の操作により、ラベルイメージＬＩ全体ではなく、ユーザが所望する箇所のみをプレビュー表示させることも可能となっている。
【００５２】
プレビュー表示画面Ｄ３では、プレビュー表示領域４５全体に部分イメージＬＩｐが表示されており、当該部分イメージＬＩｐは、図４に示したラベルＬの第１印刷領域の後半部と非印刷領域の前半部に相当する部分である。したがって、そのラベルＬの全体（ラベルイメージＬＩ）に対する部分イメージＬＩｐの表示位置を示すべく、インジケータ表示領域４６では、８個のインジケータから成る指標マーク９の先頭（点灯しているインジケータのうち最左端のもの）が、インジケータ表示領域４６の略１／４程度の所まで右側に進行している。
【００５３】
プレビュー表示画面Ｄ３が表示されている状態で、さらに左カーソルキー３３Ｌが複数回押されると、プレビュー表示画面Ｄ４の状態となる。プレビュー表示画面Ｄ４のプレビュー表示領域４５では、図４に示したラベルＬの非印刷領域に相当する部分イメージＬＩｐが表示されている。また、インジケータ表示領域４６では、８個のインジケータから成る指標マーク９の先頭が、インジケータ表示領域４６の略１／２程度の所まで右側に進行している。このように、ラベルＬの非印刷領域に相当する部分イメージＬＩｐがプレビュー表示領域４５に表示されている場合、プレビュー表示領域４５自体は画面の変化がないが、インジケータ表示領域４６に表示される指標マーク９の位置が変るため、ユーザはスクロール表示が続行されていることを確認することができる。
【００５４】
図６に示すように、プレビュー表示画面Ｄ４が表示されている状態で、さらに左カーソルキー３３Ｌが複数回押されると、プレビュー表示画面Ｄ５の状態となる。プレビュー表示画面Ｄ５のプレビュー表示領域４５では、図４に示したラベルＬの第２印刷領域の前半部に相当する部分イメージＬＩｐが表示されている。また、インジケータ表示領域４６では、８個のインジケータから成る指標マーク９の先頭が、インジケータ表示領域４６の略３／４程度の所まで右側に進行している。
【００５５】
また、プレビュー表示画面Ｄ５が表示されている状態で、さらに左カーソルキー３３Ｌが複数回押されると、プレビュー表示画面Ｄ６の状態となる。プレビュー表示画面Ｄ６のプレビュー表示領域４５では、ラベルイメージＬＩの後端部（部分イメージＬＩｐ）が、プレビュー表示領域４５の略半分程度表示されている。これに伴い、インジケータ表示領域４６では、指標マーク９として、インジケータ表示領域４６の最右端のインジケータを含む４個のインジケータが点灯している。
【００５６】
また、プレビュー表示画面Ｄ６が表示されている状態で、さらに左カーソルキー３３Ｌが複数回押されると、プレビュー表示画面Ｄ７の状態となる。プレビュー表示画面Ｄ７のプレビュー表示領域４５では、ラベルイメージＬＩの全てのプレビュー表示を終えた状態であるので、何ら表示を行わない。また、インジケータ表示領域４６では、プレビュー表示終了であることを示す指標マーク９を表示する。この場合の指標マーク９は、インジケータ表示領域４６に表示される複数の（Ｚ個の）インジケータのうち、最右端のインジケータのみ点灯させたものである。
【００５７】
このように、ユーザによるスクロール操作に伴って、プレビュー表示を行うことができる。この場合、スクロール操作を行うスクロール方向とプレビュー表示方向は同じである。また、ユーザによるスクロール操作に伴って、インジケータ表示領域４６の指標マーク９の位置も反対方向に移動する。つまり、指標マーク９の位置によってプレビュー表示されている部分イメージＬＩｐのラベルイメージＬＩに対する位置を指標できるため、ユーザは、スクロール表示の途中で表示画面４１を見た場合でも、プレビュー表示されている位置を把握することができる。
【００５８】
なお、指標マーク９は、部分イメージＬＩｐのラベルイメージＬＩに対する位置だけでなく、部分イメージＬＩｐのラベルイメージＬＩに対する長さの割合も指標する。そこで、図７を参照し、部分イメージＬＩｐのラベルイメージＬＩに対する位置と長さの割合を示す指標マーク９の位置および個数について説明する。
【００５９】
図７（ａ）は、ラベルイメージＬＩ全体を示している。ここで、ラベルイメージＬＩの長手方向における長さをＸとする（但し、Ｘ＞０）。また、図７（ｂ）に示すように、プレビュー表示領域４５の長手方向における長さをＹ（但し、Ｘ＞Ｙ＞０）、プレビュー表示を終えた部分の長さをＮ（但し、Ｎ＞０）、インジケータ表示領域４６に表示されるインジケータの個数をＺ（但し、Ｚ＞０）とする。
【００６０】
この場合、図７（ｃ）に示すように、インジケータの表示開始位置（指標マーク９の先頭位置）は、計算式Ｎ×Ｙ／Ｘにより求めることができる。また、インジケータの表示開始番号（Ｚ個のインジケータに左側から順に番号を付した場合の（番号１〜番号Ｚ）、先頭インジケータの番号）は、計算式Ｎ×Ｚ／Ｘにより求めることができる。さらに、インジケータの表示個数（指標マーク９を構成するインジケータの個数）は、計算式Ｙ×Ｚ／Ｘにより求めることができる。
【００６１】
但し、上記のとおり、Ｎが０の場合は、プレビュー表示領域４５に表示されている部分イメージＬＩｐの長さに応じて、インジケータの表示個数は可変する。また、プレビュー表示開始前においてプレビュー表示領域４５に部分イメージＬＩｐが表示されていない場合は、最左端のインジケータのみが点灯し、プレビュー表示終了後においてプレビュー表示領域４５に部分イメージＬＩｐが表示されていない場合は、最右端のインジケータのみが点灯する。
【００６２】
なお、Ｘ＜Ｙの場合は、スクロール操作を行わなくとも、ラベルイメージＬＩ全体を確認できるため、インジケータ表示領域４６にＺ個のインジケータを点灯させたままでも良いし、インジケータ表示領域４６において何ら表示を行わないようにしても良い。
【００６３】
また、プレビュー表示開始前またはプレビュー表示終了後において、プレビュー表示領域４５に部分イメージＬＩｐが表示されていない場合も、上記のとおり最左端または最右端のインジケータのみを点灯させるのではなく、インジケータ表示領域４６において何ら表示を行わないようにしても良い。
【００６４】
以上、説明したとおり、本実施形態によれば、インジケータ表示領域４６に表示される指標マーク９の位置から、プレビュー表示されている部分がラベル全体に対してどの辺りに位置するのかをユーザが判断することができる。これにより、ラベルＬ上に多くの非印刷領域が存在し、その非印刷領域がプレビュー表示されている場合でも、スクロールが止まっている（テープ印刷装置１が動作していない）などとユーザが誤認することがない。
【００６５】
また、インジケータ表示領域４６に表示されるインジケータの個数から部分イメージＬＩｐのラベルイメージＬＩに対する長さの割合も確認することができる。これにより、ラベルイメージＬＩ全体を確認することなく、インジケータの個数からラベルイメージＬＩ全体の長さを推定することができる。
【００６６】
また、インジケータ表示領域４６は、表示画面４１の一部を利用するため、部分イメージＬＩｐの位置や長さの割合を示すための表示手段を必要としない。また、点灯または非点灯によって所定の情報を表示するインジケータを利用するため、表示画面４１上に部分イメージＬＩｐの位置や長さの割合を示すための表示領域を必要としない。つまり、特別な構成を何ら必要とすることなく、部分イメージＬＩｐの位置や長さの割合を示すことができる。
【００６７】
なお、上記の実施形態では、ラベルイメージＬＩの長手方向における部分イメージＬＩｐの位置や長さの割合を示すものとしたが、図８（ａ）に示すように、ラベルイメージＬＩの幅方向における位置や長さの割合も示すようにしても良い。この場合、表示画面４１の下端部を、長手方向における位置および長さの割合を示すインジケータ表示領域４６ａとすると共に、表示画面４１の左端部を、幅方向における位置および長さの割合を示すインジケータ表示領域４６ｂとする。そして、残りの領域（横４５ｂ，縦４５ａの矩形領域）を、プレビュー表示領域とする。この構成によれば、ラベルイメージＬＩに対する部分イメージＬＩｐの位置および長さの割合を、指標マーク９ａ，９ｂによって２次元的に把握することができる。
【００６８】
また、上記の実施形態では、インジケータ表示領域として、表示画面４１の一部を用いるものとしたが、表示画面４１の外部に設けられた複数のインジケータ７６から成るインジケータ群７０を用いても良い。この場合、各インジケータ７６は、ＬＥＤ等により構成される。また、点灯するインジケータ７６の数によって、ラベルイメージＬＩに対する部分イメージＬＩｐの長さの割合を示すことも可能である。
【００６９】
また、上記の実施形態では、プレビュー表示領域４５に、部分イメージＬＩｐが何ら表示されていない状態（図５のプレビュー表示画面Ｄ１参照）からプレビュー表示を開始するものとしたが、プレビュー表示画面Ｄ２の状態からプレビュー表示を開始するようにしても良い。また、プレビュー表示領域４５の左端と、ラベルイメージＬＩの先端とが合致する状態からプレビュー表示を開始するようにしても良い。一方、プレビュー表示の終了についても、プレビュー表示領域４５に、部分イメージＬＩｐが何ら表示されていない状態（図６のプレビュー表示画面Ｄ７参照）でプレビュー表示を終了するのではなく、プレビュー表示画面Ｄ６の状態でプレビュー表示を終了するようにしても良い。また、プレビュー表示領域４５の右端と、ラベルイメージＬＩの後端とが合致する状態でプレビュー表示を終了するようにしても良い。
【００７０】
また、上記の実施形態に示した、テープ印刷装置１の各構成要素をプログラムとして提供することが可能である。また、そのプログラムを各種記録媒体（ＣＤ−ＲＯＭ、フラッシュメモリ等）に格納して提供することも可能である。すなわち、コンピュータを、テープ印刷装置１の各手段として機能させるためのプログラム、およびそれを記録した記録媒体も、本発明の権利範囲に含まれるものである。その他、本発明の要旨を逸脱しない範囲で、適宜変更が可能である。
【符号の説明】
【００７１】
１…テープ印刷装置  ３…キーボード  ９…指標マーク  ３３…カーソルキー  ４１…表示画面  ４５…プレビュー表示領域  ４６…インジケータ表示領域  ５６…通常表示画面  ５７…プレビュー表示画面  Ｔ…印刷テープ  Ｌ…ラベル  ＬＩ…ラベルイメージ  ＬＩｐ…部分イメージ
【図１】
0005240391.tif 000002
【図２】
0005240391.tif 000003
【図３】
0005240391.tif 000004
【図４】
0005240391.tif 000005
【図５】
0005240391.tif 000006
【図６】
0005240391.tif 000007
【図７】
0005240391.tif 000008
【図８】
0005240391.tif 000009